(57)【特許請求の範囲】
【請求項１】
コンピュータにより構成され、貢献者からＮＰＯへの貢献を仲介する仲介システムに接続されたポイントの処理システムであって、
ＮＰＯが獲得したポイント値を、当該ＮＰＯに関連付けてコンピュータの記憶媒体に格納するＮＰＯポイント格納部と
貢献者が獲得したポイント値を、当該貢献者に関連付けてコンピュータの記憶媒体に格納する貢献者ポイント格納部と
コンピュータが、貢献者がＮＰＯへ貢献した貢献額に応じたポイント値を算出するポイント算出手段と、
コンピュータが、前記ポイント算出手段が算出したポイント値を貢献先のＮＰＯに関連付け、当該ＮＰＯのポイントとして前記ＮＰＯポイント格納部に格納するポイント発行手段と
コンピュータが、ＮＰＯが貢献者に依頼するボランティアの要求をこのボランティアに伴い貢献者に与えられるポイント値と共に前記コンピュータの記憶媒体に登録するボランティア要求登録手段と、
コンピュータが、前記ボランティア要求登録手段に登録されたボランティアに伴い貢献者に与えられるポイント値を前記ＮＰＯポイント格納部に格納されたＮＰＯのポイントから差引き、当該差し引いたポイント値を前記ボランティアを行った貢献者のポイントとして貢献者ポイント格納部に移転・格納するポイント移転手段と、
を有することを特徴とするポイント処理システム。
【請求項２】
請求項１記載のポイント処理システムにおいて、
コンピュータが、前記ＮＰＯポイント格納部に格納されたポイントを特定の貢献者について集計し、これに基づいて当該貢献者の各ＮＰＯへの貢献度を算出し出力する貢献度出力手段
をさらに有することを特徴とするポイント処理システム。
【請求項３】
請求項１記載のポイント処理システムおいて、
前記ポイント発行手段は、コンピュータが、ＮＰＯに発行し前記ＮＰＯポイント格納部に格納したポイント値と同値のポイントを、貢献者に関連付け、貢献者のポイントとして前記貢献者ポイント格納部に格納するものである
ことを特徴とするポイント処理システム。
【請求項４】
請求項１記載のポイント処理システムにおいて、
コンピュータが、前記ＮＰＯポイント格納部に格納されたポイントをＮＰＯ間で集計し、集計された各ＮＰＯのポイント値の大きさに基づいて各ＮＰＯの格付けを行う格付手段
をさらに有することを特徴とするポイント処理システム。
【請求項５】
請求項１記載のポイント処理システムにおいて、
ＮＰＯに対する貢献は、貢献者が、特定のサービスに対する対価の一部若しくは全部をＮＰＯに寄付することであり、
前記ポイント算出手段は、前記特定のサービスに対する対価額に応じて決定されたポイント値を、前記貢献者の貢献に係るポイント値として算出するものであり、
さらに、
コンピュータが、前記貢献者から、前記ポイント算出手段で算出されたポイント値を発行する先のＮＰＯの指定を受け取るＮＰＯ指定手段を有する
ことを特徴とするシステム。
【請求項６】
請求項５記載のポイント処理システムにおいて、
前記ＮＰＯ指定手段において貢献者がＮＰＯを指定しない場合に、コンピュータが、当該特定のサービスの対価額に応じたポイント値を、各ＮＰＯが既に獲得しているポイント値の割合によって各ＮＰＯに分配する貢献先ＮＰＯ決定手段を有する
ことを特徴とするシステム。
【請求項７】
請求項５記載のポイント処理システムにおいて、
前記特定のサービスは、メイリングリストの運営であり、メイリングリストの運営により得た収益の少なくとも一部をＮＰＯへの貢献とするものである
ことを特徴とするシステム。
【請求項８】
請求項５記載のポイント処理システムにおいて、
前記特定のサービスは、オークションの運営であり、このオークションの運営により得た収益の少なくとも一部をＮＰＯへの貢献とするものである
ことを特徴とするシステム。
【請求項９】
請求項５記載のポイント処理システムにおいて、
前記特定のサービスは、Ｗｅｂサーバのホスティングであり、このホスティングの運営により得た収益の少なくとも一部をＮＰＯへの貢献とするものである
ことを特徴とするシステム。
【請求項１０】
請求項５記載のポイント処理システムにおいて、
前記特定のサービスは、インターネットサービスの運営であり、このインターネットサービスの運営により得た収益の少なくとも一部をＮＰＯへの貢献とするものである
ことを特徴とするシステム。
【請求項１１】
請求項５記載のポイント処理システムにおいて、
前記特定のサービスは、前記仲介システムにアクセスした者に表示する前記貢献者の広告サービスの運営であり、この広告サービスの運営により得た収益の少なくとも一部をＮＰＯへの貢献とするものである
ことを特徴とするシステム。
【請求項１２】
請求項５記載のポイント処理システムにおいて、
前記特定のサービスは、クレジットカードサービスの運営であり、このクレジットカードサービスの運営により得た収益の少なくとも一部をＮＰＯへの貢献とするものである
ことを特徴とするシステム。
【請求項１３】
請求項１記載のポイント処理システムにおいて、
コンピュータが、ＮＰＯのＷｅｂサイトにアクセスするインターネット利用者の端末上で動作するソフトウエアの要求に応じて、前記利用者の端末に当該利用者がアクセスしているＮＰＯが取得しているポイント値の情報を送信し、表示させるポイント情報送信手段
をさらに有することを特徴とするシステム。
【請求項１４】
貢献者からＮＰＯへの貢献を仲介する仲介システムに接続されたコンピュータにより実行されるポイント処理方法であって、
前記コンピュータは、
１以上の貢献者によりＮＰＯになされた貢献に応じたポイント値（貢献度を表す得点）を、当該ＮＰＯのポイントとしてコンピュータの記憶媒体に格納するＮＰＯポイント格納部と、
貢献者が１以上のＮＰＯに貢献に応じたポイント値を、当該貢献者のポイントとしてコンピュータの記憶媒体に格納する貢献者ポイント格納部と
を有するものであり、
このポイント処理方法は、
コンピュータが、貢献者からＮＰＯへの貢献に応じたポイント値を算出するポイント算出工程と、
コンピュータが、前記ポイント算出工程で算出されたポイント値を貢献先のＮＰＯに関連付け、当該ＮＰＯのポイントとして前記ＮＰＯポイント格納部に格納するポイント発行工程と
コンピュータが、ＮＰＯが貢献者に依頼するボランティアの要求をこのボランティアに伴い貢献者に与えられるポイント値と共に前記コンピュータの記憶媒体に登録するボランティア要求登録工程と、
コンピュータが、前記ボランティア要求登録工程で登録されたボランティアに伴い貢献者に与えられるポイント値を前記ＮＰＯポイント格納部に格納されたＮＰＯのポイントから差引き、当該差し引いたポイント値を前記ボランティアを行った貢献者のポイントとして貢献者ポイント格納部に移転・格納するポイント移転工程と、
を有することを特徴とするポイント処理方法。
【請求項１５】
請求項１４記載のポイント処理方法において、
コンピュータが、前記ＮＰＯポイント格納部に格納されたポイントを特定の貢献者について集計し、これに基づいて当該貢献者の各ＮＰＯへの貢献度を算出し出力する貢献度出力工程
をさらに有することを特徴とするポイント処理方法。
【請求項１６】
請求項１４記載のポイント処理方法おいて、
前記ポイント発行工程は、コンピュータが、ＮＰＯに発行し前記ＮＰＯポイント格納部に格納したポイント値と同値のポイントを、貢献者に関連付け、貢献者のポイントとして前記貢献者ポイント格納部に格納するものである
ことを特徴とするポイント処理方法。
【請求項１７】
請求項１４記載のポイント処理方法において、
コンピュータが、前記ＮＰＯポイント格納部に格納されたポイントをＮＰＯ間で集計し、集計された各ＮＰＯのポイント値の大きさに基づいて各ＮＰＯの格付けを行う格付工程
をさらに有することを特徴とするポイント処理方法。
【請求項１８】
請求項１４記載のポイント処理方法において、
ＮＰＯに対する貢献は、貢献者が、特定のサービスに対する対価の一部若しくは全部をＮＰＯに寄付することであり、
前記ポイント算出工程は、前記特定のサービスに対する対価額に応じて決定されたポイント値を、前記貢献者の貢献に係るポイント値として算出するものであり、
さらに、
コンピュータが、前記貢献者から、前記ポイント算出工程で算出されたポイント値を発行する先のＮＰＯの指定を受け取るＮＰＯ指定工程を有する
ことを特徴とする方法。
【請求項１９】
請求項１８記載のポイント処理方法において、
前記ＮＰＯ指定工程において貢献者がＮＰＯを指定しない場合に、コンピュータが、当該特定のサービスの対価額に応じたポイント値を、各ＮＰＯが既に獲得しているポイント値の割合によって各ＮＰＯに分配する貢献先ＮＰＯ決定工程を有する
ことを特徴とする方法。
【請求項２０】
請求項１８記載のポイント処理方法において、
前記特定のサービスは、メイリングリストの運営であり、メイリングリストの運営により得た収益の少なくとも一部をＮＰＯへの貢献とするものである
ことを特徴とするポイント処理方法。
【請求項２１】
請求項１８記載のポイント処理方法において、
前記特定のサービスは、オークションの運営であり、このオークションの運営により得た収益の少なくとも一部をＮＰＯへの貢献とするものである
ことを特徴とするポイント処理方法。
【請求項２２】
請求項１８記載のポイント処理方法において、
前記特定のサービスは、Ｗｅｂサーバのホスティングであり、このホスティングの運営により得た収益の少なくとも一部をＮＰＯへの貢献とするものである
ことを特徴とするポイント処理方法。
【請求項２３】
請求項１８記載のポイント処理方法において、
前記特定のサービスは、インタネットサービスの運営であり、このインターネットサービスの運営により得た収益の少なくとも一部をＮＰＯへの貢献とするものである
ことを特徴とするポイント処理方法。
【請求項２４】
請求項１８記載のポイント処理方法において、
前記特定のサービスは、前記仲介方法にアクセスした者に表示する前記貢献者の広告サービスの運営であり、この広告サービスの運営により得た収益の少なくとも一部をＮＰＯへの貢献とするものである
ことを特徴とするポイント処理方法。
【請求項２５】
請求項１８記載のポイント処理方法において、
前記特定のサービスは、クレジットカードサービスの運営であり、このクレジットカードサービスの運営により得た収益の少なくとも一部をＮＰＯへの貢献とするものである
ことを特徴とするポイント処理方法。
【請求項２６】
請求項１４記載のポイント処理方法において、
コンピュータが、ＮＰＯのＷｅｂサイトにアクセスするインターネット利用者の端末上で動作するソフトウエアの要求に応じて、前記利用者の端末に当該利用者がアクセスしているＮＰＯが取得しているポイント値の情報を送信し、表示させるポイント情報送信工程
をさらに有することを特徴とする方法。
【発明の詳細な説明】
【０００１】
【発明の属する技術分野】
この発明は、個人若しくは団体等の貢献者から特定のＮＰＯに対してなされるドネーションの仲介を実行する仲介システムに接続され、当該ドネーション基づいてポイントを発行し、処理するポイント処理システム及びその方法に関する。
【０００２】
【従来の技術】
近年、インターネット上で、様々なポイント発行サービスが提供されている。それらポイント発行サービスのほとんどは、消費者の購買意欲を誘引するための何らかのプレミアムを発行するものである。
【０００３】
そこで、ＮＰＯへのドネーション（寄付）を仲介するサービスにおいても、ＮＰＯへの貢献を誘引するために、貢献者に対して何らかのプレミアムをつけたポイントを発行する考え方がある。このプレミアムは通常、後で特定の商品の購買に関して値引きを受けることができるというものであり、この割引きへの期待が、寄付を誘引するものである。
【０００４】
【発明が解決しようとする課題】
ところで、ＮＰＯに対するドネーションにおいて上述のようなプレミアムを発行することは商業主義若しくは営利主義に走るものであり、ＮＰＯの非営利的性質と相反するものがある。
【０００５】
この発明は、このような事情に鑑みてなされたものであり、Ｗｅｂサーバ上で実行され、ＮＰＯの非営利的性質に合致したポイントを発行できるポイント処理システム及び方法を提供することを目的とする。
【０００６】
また、この発明の更なる詳しい目的は、発行したポイントを、ＮＰＯへの貢献を誘発できる形態に集計処理し表示できるポイント処理システム及び方法を提供することにある。
【０００７】
【課題を解決するための手段】
上記課題を解決するため、この発明の第１の主要な観点によれば、貢献者からＮＰＯへの貢献を仲介する仲介システムに接続されたポイント処理システムであって、ＮＰＯへの貢献に伴い、その貢献に応じたポイント（得点）を算出するポイント算出手段と、算出したポイントをその貢献をした貢献者に関連付けて貢献先のＮＰＯに発行するポイント発行手段とを有するポイント処理システムが提供される。ここで、前記ポイント発行手段は、前記ＮＰＯに発行したポイントを、当該ＮＰＯ及びその貢献をした貢献者に関連付けてメモリに格納するポイント格納手段を有することが好ましい。
【０００８】
このような構成によれば、貢献者からの貢献に応じたポイントが、貢献先のＮＰＯに発行される。このポイントは、後の実施形態に詳しく説明されるように、例えばボランティアの要請等において使用できるものである。このような構成によれば、当該ＮＰＯに対して、ドネーション等の貢献に加えて、このようなポイントの貢献も行うことができるから、当該貢献者の貢献に対するインセンティブが高まる。また、後でこのポイントを処理することで、特定のＮＰＯに対する各貢献者の貢献度を算出することできるから、この貢献度を上げるために、貢献者の貢献がさらに誘発される。
【０００９】
１の実施形態によれば、このシステムは、各ＮＰＯに発行されたポイントを集計するポイント集計手段と、要求に応じ、前記集計手段によって集計された前記ＮＰＯのポイント中の前記ＮＰＯへ貢献をした特定の貢献者のポイントを集計し、これに基づいて特定の貢献者の当該ＮＰＯへの貢献度を算出し出力する貢献度出力手段とを有する。
【００１０】
このような構成によれば、発行されたポイントに基づいて、特定のＮＰＯに対する貢献者の貢献度を算出することができる。
【００１１】
他の１の実施形態によれば、このシステムはさらに、ポイントを有する者が、特定のＮＰＯ若しくは貢献者への何らかのボランティアの要求を登録するボランティア要求登録手段と、当該ボランティアを行おうとする者の要求に応じて、当該貢献者の特定のＮＰＯへの貢献度を表示するための貢献度表示手段と、当該ボランティアを行おうとする者から、当該ボランティアの要求の受諾を受け取り、それに基づいて所定のポイントを前記ポイントを有する者から、このボランティアを行おうとする者に移転するポイント移転手段とを有する。
【００１２】
このような構成によれば、ポイントを支払うことを条件にボランティアの募集を行うことができ、この際、前記貢献度を表示することによって、ボランティアの依頼の受諾を誘引することができる。
【００１３】
更なる他の１の実施形態によれば、前記ポイント発行手段は、ＮＰＯに発行したポイントと同じポイントを、貢献先のＮＰＯに関連つけて、その貢献をした貢献者にも発行するものである。
【００１４】
このような構成によれば、貢献者がポイントを使用してボランティアの募集等を行うことができると共に、このポイントを集計することで、当該貢献者のＮＰＯに対する貢献内訳を知ることができる。
【００１５】
更なる他の１の実施形態によれば、このシステムは、前記集計手段で集計された各ＮＰＯのポイントに基づいて、当該ＮＰＯの格付けを行う格付手段をさらに有する。
【００１６】
このような構成によれば、ＮＰＯの獲得したポイント数がＮＰＯの人気度合を示すことになるので、レーティングが容易になる。
【００１７】
更なる他の１の実施形態によれば、前記ポイント算出手段は、前記貢献者から得た特定のサービスに対する対価を、特定のＮＰＯに対する貢献として、それに応じたポイントを算出するものである。この場合、前記特定のサービスに関連して、貢献先のＮＰＯを指定するためのＮＰＯ指定手段を有することが好ましい。一方、前記特定のサービスが、貢献先のＮＰＯを指定しないサービスである場合には、当該特定のサービスの対価に応じたポイントを、各ＮＰＯが既に獲得しているポイント数の割合に応じて各ＮＰＯに分配する貢献先ＮＰＯ決定手段を有することが望ましい。
【００１８】
このような構成によれば、様々なサービスから発生する収益の一部若しくは全部を、特定のＮＰＯに対するドネーションとして扱うことができ、これに応じてポイントの発行を行うことが可能になる。
【００１９】
ここで、前記特定のサービスは、１つの例では、メイリングリストの運営であり、メイリングリストの運営により得た収益の少なくとも一部をＮＰＯへの貢献とするものである。
【００２０】
前記特定のサービスは、他の１の例では、オークションの運営であり、このオークションの運営により得た収益の少なくとも一部をＮＰＯへの貢献とするものである。
【００２１】
前記特定のサービスは、更なる他の１の例では、Ｗｅｂサーバのホスティングであり、このホスティングの運営により得た収益の少なくとも一部をＮＰＯへの貢献とするものである。
【００２２】
前記特定のサービスは、更なる他の１の例では、インタネットサービスの運営であり、このインターネットサービスの運営により得た収益の少なくとも一部をＮＰＯへの貢献とするものである。
【００２３】
前記特定のサービスは、更なる他の１の例では、前記仲介システムにアクセスした者に表示する前記貢献者の広告サービスの運営であり、この広告サービスの運営により得た収益の少なくとも一部をＮＰＯへの貢献とするものである。
【００２４】
前記特定のサービスは、更なる他の１の例では、クレジットカードサービスの運営であり、このクレジットカードサービスの運営により得た収益の少なくとも一部をＮＰＯへの貢献とするものである。
【００２５】
更なる他の１の実施形態によれば、このシステムは、さらに、ＮＰＯのＷｅｂサイトにアクセスするインターネット利用者の端末上で動作するブラウザの要求に応じて、前記利用者の端末に当該利用者がアクセスしているＮＰＯが取得しているポイントの情報を送信し、表示させるポイント情報送信手段を有する。
【００２６】
このような構成によれば、インターネット利用者が特別の操作を行わなくても特定のＮＰＯのポイント数等を参照することができる。なお、同様にしてＮＰＯのレーティング情報を表示するようにしても良い。
【００２７】
また、この発明の第２の主要な観点によれば、貢献者からＮＰＯへの貢献を仲介する仲介方法上で実行されるポイント処理方法であって、貢献者からＮＰＯへの貢献に伴い、その貢献に応じたポイント（得点）を算出するポイント算出工程と、算出したポイントをその貢献をした貢献者に関連付けて貢献先のＮＰＯに発行するポイント発行工程とを有するポイント処理方法が提供される。
【００２８】
このような構成によれば、貢献者からの貢献に応じたポイントが、貢献先のＮＰＯに発行される。このポイントは、後の実施形態に詳しく説明されるように、例えばボランティアの要請等において使用できるものである。このような構成によれば、当該ＮＰＯに対して、ドネーション等の貢献に加えて、このようなポイントの貢献も行うことができるから、当該貢献者の貢献に対するインセンティブが高まる。また、後でこのポイントを処理することで、特定のＮＰＯに対する各貢献者の貢献度を算出することできるから、この貢献度を上げるために、貢献者の貢献がさらに誘発される。
【００２９】
なお、この発明のその他の特徴および顕著な効果は、次の発明の実施の形態の項の記載および添付した図面を参酌することで明確に理解することができる。
【００３０】
【発明の実施の形態】
次に、この発明の一実施形態を図面を参照して説明する。
【００３１】
この発明の理解を容易にするため、実施形態のシステム構成を説明する前に、この実施形態の処理の流れを簡単に説明する。図１は、この発明の一実施形態におけるドネーションの流れ、ポイントの流れ及びボランティア依頼の流れの一例を示す概略構成図である。この図におけるＳ１〜Ｓ１０は、以下で参照されるステップ番号（ステップＳ１〜ステップＳ１０）に対応している。
【００３２】
この発明の一実施形態である処理システムは、インターネット網に接続され、インターネット上で個人または団体等の貢献者からＮＰＯへのドネーションを仲介するドネーション仲介サイト１に設けられている。
【００３３】
このシステムは、まず、貢献者Ａが後で詳しく説明する各種サービスを利用して自己の好むＮＰＯ１に対するドネーションを行うことを仲介する（ステップＳ１）。また、このシステムは、このドネーションの額に応じたポイントを算出し（ステップＳ２）、そのポイントをＮＰＯ１、貢献者Ａの双方に発行する（ステップＳ３、Ｓ４）。具体的には、そのポイントを当該貢献者Ａ及びＮＰＯ１に関連付けてメモリに格納する（ステップＳ５）。また、このシステムは、ＮＰＯ１及び貢献者Ａの求めに応じて、それぞれの累積ポイントを提示する（ステップＳ６、Ｓ７）。
【００３４】
また、このシステムでは、貢献者Ａが、第三者に対して特定のＮＰＯに対するボランティア、例えば募金活動等の労働依頼を登録することができ（ステップＳ８）。このとき、この依頼を受けようとする者（例えば貢献者Ｂ）は、そのＮＰＯ１に対する依頼者（貢献者Ａ）の貢献度をインターネットを通じて閲覧することで（ステップＳ９）、当該依頼を受けるかどうかを決定することができる。この貢献度は、ＮＰＯが獲得した全ポイント中、当該貢献者Ａが占めるポイント数の割合に基づいて算出される（ステップＳ１０）。
【００３５】
当該依頼を受諾した貢献者Ｂは、依頼者である貢献者Ａから相当のポイントを受け取り（ステップＳ１１）、ＮＰＯ１に対してボランティア活動を行う（ステップＳ１２）。
【００３６】
このような処理を可能にするため、この実施形態のシステムは以下のように構成されている。
【００３７】
図２は、このシステムを示す概略構成図である。
【００３８】
このシステムは、ＣＰＵ４、ＲＡＭ５、モデム等の通信デバイス６、入出力装置７等が接続されてなるバス８に、この発明のメモリとして機能するデータ格納部１０およびプログラム格納部１１が接続されてなる。
【００３９】
このデータ格納部１０およびプログラム格納部１１は、この実施形態では、ハードディスクなどの固定式記憶媒体で構成されており、これらに格納された各データおよびプログラムは、前記ＲＡＭ５上に呼び出されて前記ＣＰＵ４によって実行されることで、この実施形態の機能を発揮する。
【００４０】
データ格納部１０には、ＮＰＯに関する各種情報を格納するＮＰＯ情報ＤＢ１３と、貢献者に関する各種情報を格納する貢献者情報ＤＢ１４と、ＮＰＯが獲得したポイントの情報を格納するＮＰＯポイント格納部１５と、貢献者が獲得したポイントの情報を格納する貢献者ポイント格納部１６と、貢献者等から他の貢献者に対するＮＰＯ等へのボランティア要求を登録・格納するボランティア要求格納部１７とが格納されている。
【００４１】
ＮＰＯ情報ＤＢ（データベース）１３には、ドネーションを行う際に必要なＮＰＯの情報、例えば、ＮＰＯの所在地や代表者等の書誌的情報の他、ＮＰＯのレーティング情報、活動レポートの有無等の情報が、そのＮＰＯのＩＤ番号と関連つけて格納されている。
【００４２】
また、貢献者情報ＤＢ１４は、ＮＰＯに対して貢献を行う貢献者の情報を予め格納したデータベースであり、貢献者の住所や代表者等の書誌的事項の他、貢献者のスキル等のボランティアの際に必要な情報が、その貢献者のＩＤ番号に関連付けて格納されている。
【００４３】
ＮＰＯポイント格納部１５は、所定期間中に各ＮＰＯが得たドネーションのポイント換算値及びそのポイントの属性を格納する。図３は、ＮＰＯ１が獲得したポイント情報の例を示すものである。ＮＰＯ１の獲得したポイントは、貢献者（例えばＡ〜Ｈ）毎に集計されて格納され、この例では、ＮＰＯ１は、８人の貢献者から合計１００ポイントもの貢献を受けていることがわかる。
【００４４】
貢献者ポイント格納部１６は、所定期間中に、各貢献者が行ったドネーションのポイント換算値を格納する。図４の例では、貢献者Ａは、８つのＮＰＯ（１〜８）に対して総計１００ポイントもの貢献を行っていることがわかる。
【００４５】
一方、前記ボランティア要求格納部１７は、ボランティアの要求すなわち、ボランティアの募集を登録するのもので、例えば、図５に示す情報を含む。この情報は、ＩＤ、要求者１８、期日１９、ボランティア先２０、種別２１、ポイント情報２２及び詳細内容２３の各フィールドを有する。
【００４６】
このボランティア要求は、ボランティアを受ける立場のＮＰＯ自らが行っても良い。また、貢献者の１人が他の貢献者に対して特定のＮＰＯに対するボランティアの募集を行っても良い。例えば、図５中、ＩＤ＝１の例では、貢献者Ａが、期日２０００年９月１日で、ＮＰＯ１に対する募金活動を要求していることがわかる。また、この場合、貢献者Ａは、ポイント情報２０の欄に示すように自己の有するＮＰＯ１に対する５０ポイントを支払うことを条件にボランティアを募集している。
【００４７】
また、ＩＤ＝２の例では、ＮＰＯ２が、弁護士のボランティアを募集している。この場合、ＮＰＯ２は、自己が獲得している１００ポイントを支払うことをその条件としている。
【００４８】
一方、前記プログラム格納部１１は、図２に示すように、メインプログラム２６の他、ドネーション仲介部２７、貢献先ＮＰＯ選択部２８、貢献先ＮＰＯ決定部２９、ポイント算出部３０、ＮＰＯへのポイント発行部３１、貢献者へのポイント発行部３２、ポイント集計部３３、貢献度集計部３４、ポイント情報送信部３５、ボランティア要求登録部３６、貢献度表示部３７、ポイント移転部３８及びレーティング部３９を格納している。
【００４９】
以下、これら各構成要素の詳しい機能を、このシステムの動作とともに説明する。なお、括弧の記号は、図１に示したステップ参照符号である。
【００５０】
まず、ドネーション仲介部２７は、貢献者からＮＰＯへのドネーションを仲介する機能を有する（図１のステップＳ１）。この実施形態では、貢献者からＮＰＯへのドネーションは、図６に示す８つのサービスを通して行われる。なお、図６に示す情報は各貢献者に固有のものであり、貢献者のＩＤに関連付けて前記貢献者情報ＤＢ１３に登録される。
【００５１】
図６において、サービスＩＤ＝１は、通常のドネーションであり、この場合、前記ドネーション仲介部２７は、Ｗｅｂサイト上で貢献者に対してＮＰＯのリストを提示し、貢献者の選択にかかるＮＰＯへのドネーションを受け付ける。ドネーションは、クレジットカード等の任意の決済手段を利用して行われる。
【００５２】
サービスＩＤ＝２はオークションである。すなわち、このシステムを通じて貢献者がオークションを行う場合に、そのオークションの収益の一部若しくは全部をＮＰＯへのドネーションとするものである。この場合、オークションに開始する前に、前記ＮＰＯ選択部２８が、貢献者に貢献先のＮＰＯを登録させる。ここで選択した貢献先ＮＰＯ（この例ではＮＰＯ１）は、図６に示すように、貢献者情報ＤＢ１３に登録される。
【００５３】
サービスＩＤ＝３は、広告である。このシステムは、図８に示すように、インターネット利用者が、このシステムが提供するＷｅｂサイトから各ＮＰＯのＷｅｂサイトへ飛んだ際に、各ＮＰＯのサイトを表示するブラウザフレームの隣に、ＮＰＯに関するニュース４５を配信する。このニュース４５のヘッダ部分には、このＮＰＯが獲得しているポイント情報４６、レーティング情報４７の他、営利企業の広告４８が表示される。この場合、この広告料収入の一部若しくは全部をドネーションとして扱う。この広告の場合にように、貢献先のＮＰＯが具体的に指定されない場合には、前記貢献先ＮＰＯ決定部２９（図２）が動作して、ドネーションの振り分けを決定する。
【００５４】
すなわち、この貢献先ＮＰＯ決定部２９は、前記ＮＰＯポイント格納部１５にアクセスし、各ＮＰＯの獲得しているポイント数に応じて前記広告料（及びポイント）の配分比率を決定する。そして、各ＮＰＯには、その額に応じたポイントが、前記広告を行っている私企業を貢献者として配分される。
【００５５】
なお、前記ニュース４５の表示は、このシステムから利用者のコンピュータシステム上にダウンロードされインストールされた専用のソフトウエアによって実行されることが好ましい。このソフトウエアは、このシステム若しくは他のシステムにＮＰＯニュースの配信を要求するものである。
【００５６】
また、このソフトウエアは、前記利用者の参照しているＵＲＬをこのシステムに送信し、これに基づいて、前記ポイント情報送信部３５が、参照先のＮＰＯを特定する。そして、このポイント情報送信部３５が、当該ＮＰＯのポイント情報４６を配信するようになっている。
【００５７】
さらに、前記レーティングは、前記レーティング部３９によって実行される。このレーティング部３９は、各ＮＰＯの獲得している累積ポイント数及びその他の情報を参照することで、ＮＰＯのレーティングを行うものである。そして、前記ポイント情報送信部３５の動作と連動して、利用者がＵＲＬを参照しているＮＰＯのレーティング情報４７を取り出し利用者に配信するようになっている。
【００５８】
また、このシステムは、図６のサービスＩＤ＝４〜６に示すように、メイリングリスト、Ｗｅｂホスティング及びＥ−ｍａｉｌサービス等の各種インターネットサービスも提供する。この場合、まず、前記ＮＰＯ選択部２８が貢献者にドネーション先のＮＰＯを選択させ、図７に示すように、ドネーション先のＮＰＯ名が入ったメイリングリスト名、Ｗｅｂサイトアドレス及びＥ−ｍａｉｌアドレスを各貢献者に貸し与える。そして、これら、インターネットサービスに要する手数料若しくは広告料の一部若しくは全部を、貢献先として指定したＮＰＯ（この例ではＮＰＯ１）へのドネーションとするものである。
【００５９】
さらに、このシステムでは、クレジットカードサービス（ＩＤ＝７）の受付を行う。この場合も、まず、前記貢献先ＮＰＯ選択部２８が貢献者に貢献先を選択させ、これに応じてそのＮＰＯ１名が入ったクレジットカードの発行を行う（図７参照）。この場合、クレジットカード利用手数料の一部若しくは全部が選択したＮＰＯ１へのドネーションとなる。
【００６０】
また、ＩＤ＝８で示すメールフォーム供給サービスは、特定のＮＰＯのロゴやデザインが適用されたメールフォームを貢献者に販売し、その収益をそのＮＰＯへのドネーションとするものである。この場合、まず、前記ＮＰＯ選択部２８が、貢献者にドネーション先のＮＰＯを選択させ、当該貢献者に例えば回数制限付きのメールフォーム利用権を販売する。このメールフォームは、特定のメールソフトで利用可能となっており、貢献者がメールを送るたびに、そのメールに特定のＮＰＯのデザイン等が適用されるようになっている。このサービスでは、当該システムが予め、前記メールソフトを貢献者に配布しておくことが好ましい。
【００６１】
ついで、前記ポイント算出部３０は、上記各サービスのドネーション額に応じてポイント数を算出する（ステップＳ２）。そして、ＮＰＯへのポイント発行部３１が、当該ポイントを、貢献者の情報と共にＮＰＯに発行する（ステップＳ３）。具体的には、その情報を前記ＮＰＯポイント格納部１５に格納する。
【００６２】
また、貢献者へのポイント発行部３２が、前記ＮＰＯへ発行したのと同ポイントを貢献者にも発行する。具体的には、そのポイントを貢献先のＮＰＯの情報と共に前記貢献者ポイント格納部１６に格納する。
【００６３】
なお、これらポイント発行部１５，１６で発行されたポイントは、ポイント発行の度に前記ポイント集計部３３によって集計され、前記ポイント格納部１５，１６に格納された情報（図３、図４）を更新する。また、貢献度集計部３４が、各ＮＰＯについて、貢献者毎の貢献度を求めて前記ＮＰＯポイント格納部１５に格納された情報を更新する。図３の例では、例えば貢献者Ａの貢献度は、５０／１００で５０％ということになる。また、この貢献度集計部３４は、貢献者Ａが過去に行った貢献について集計を行い、図４に示すように、各ＮＰＯ毎の構成比を算出する。
【００６４】
また、前記ポイント情報送信部３５は、所定のインターバルで、累積ポイント数をＮＰＯ及び貢献者に通知する（ステップＳ６、Ｓ７）。また、このポイント情報送信部３５は、ＮＰＯ及び貢献者からの要求により、各ＮＰＯ及び貢献者に対して累積ポイント数及びその内訳をＷｅｂ上で提示するようになっている（ステップＳ６、Ｓ７）。
【００６５】
一方、ボランティア要求登録部３６は、前記ボランティアの募集を受け付けて前記ボランティア要求格納部１７に登録すると共に、それをボランティア募集としてＷｅｂサイト上に公示する機能を有する（ステップＳ８）。前述したように、このボランティア要求は、ボランティアを受ける立場のＮＰＯ自らが行っても良い。また、貢献者の１人が他の貢献者に対して特定のＮＰＯに対するボランティアの募集を行っても良い。
【００６６】
ここで、例えば、図５のＩＤ＝１のボランティア募集を、図１の貢献者Ｂが受諾する場合を考える。この実施形態では、貢献者Ｂの受諾を誘引するために、この貢献者Ｂに対してボランティア先であるＮＰＯ１に対する依頼者である貢献者Ａの貢献度を表示する（ステップＳ９）。この表示は、前記貢献者Ｂが前記ボランティア募集を参照した際に、前記貢献度表示部３７が、例えば図３に示す情報を前記ＮＰＯポイント格納部１５から取り出して表示することによって行う。一般に、他人からの要請によってＮＰＯへのボランティアを行う場合、その要請を行った者の過去の貢献度合を参照することで、ボランティア要請を受諾するかを決定すると思われる。
【００６７】
貢献者Ｂがこのボランティア要請を受諾した場合には、前記ポイント移転部３８が、前記貢献者Ａのポイントを貢献者Ｂに移転し、ＮＰＯポイント格納部１５及び貢献者ポイント格納部１６内の情報を更新する（ステップＳ１１）。図９は、ポイント移転後の、ＮＰＯ１のポイント情報の内訳を示すものである。５０ポイントが貢献者Ａから貢献者Ｂに移転されたため、図３の状態と比較して貢献者Ｂの貢献度が上昇していることが確認できる。
【００６８】
以上説明した構成によれば、以下の効果を得ることができる。
【００６９】
第１に、この実施形態では、貢献者からの貢献に応じたポイントが、貢献先のＮＰＯに発行される。このポイントは、前述したように、例えばボランティアの要請等において使用できるものである。このようにすることによって、当該ＮＰＯに対して、ドネーション等の貢献に加えて、このようなポイントの貢献も行うことができるから、当該貢献者の貢献に対するインセンティブが高まる。また、後でこのポイントを処理することで、特定のＮＰＯに対する各貢献者の貢献度を算出することできるから、この貢献度を上げるために、貢献者の貢献がさらに誘発される。
【００７０】
第２に、この実施形態によれば、発行されたポイントに基づいて、特定のＮＰＯに対する貢献者の貢献度を算出することができる。そして、ポイントを支払うことを条件にボランティアの募集を行う際に、前記貢献度を表示することによって、ボランティアの依頼の受諾を誘引することができる。
【００７１】
第３に、上述した構成によれば、貢献者に対してもポイントを発行するようにしているから、貢献者がポイントを使用してＮＰＯに対するボランティアの募集等を行うことができると共に、このポイントを集計することで、当該貢献者のＮＰＯに対する貢献内訳を知ることができる。
【００７２】
第４に、上述した構成によれば、ＮＰＯの獲得したポイント数がＮＰＯの人気度合を示すことになるので、レーティングが容易になる。
【００７３】
第５に、この実施形態によれば、通常のドネーションだけでなく、様々なサービス（広告やインターネットサービス事業）から発生する収益の一部若しくは全部を、特定のＮＰＯに対するドネーションとして扱うことができ、これに応じてポイントの発行を行うことが可能になる。
【００７４】
なお、この発明は、上記の一実施形態に限定されるものではなく、発明の要旨を変更しない範囲で種々変形可能である。
【００７５】
例えば、ドネーションを得るためのサービスは、図６に挙げたものに限定されるものではなく、他の考えうるすべてのサービスを含むものである。また、このサービスはインターネット上で供給されるものに限定されるものではない。
【００７６】
【発明の効果】
以上説明したように、この発明によれば、Ｗｅｂサーバ上で実行され、ＮＰＯの非営利的性質に合致したポイントを発行できるポイント処理システム及び方法を提供することができる。また、発行したポイントを、ＮＰＯへの貢献を誘発できる形態に集計処理し表示することができる。
【図面の簡単な説明】
【図１】この発明の一実施形態における処理の一例を示すフロー図。
【図２】一実施形態におけるシステム構成例を示すブロック図。
【図３】ＮＰＯに発行されるポイント情報の一例を示す図。
【図４】貢献者に発行されるポイント情報の一例を示す図。
【図５】登録されたボランティア要求の一例を示す図。
【図６】ドネーションを得るサービスの一例を示す図。
【図７】上記サービスに関連して貢献者に与えられるメールアドレス等の一例を示す図。
【図８】ＮＰＯのポイント情報等の提示例を示す図。
【図９】ポイントを移転した後の、更新されたＮＰＯポイント情報を示す図。
【符号の説明】
１…ドネーション仲介サイト
４…ＣＰＵ
５…ＲＡＭ
６…通信デバイス
７…入出力装置
８…バス
１０…データ格納部
１１…プログラム格納部
１３…ＮＰＯ情報ＤＢ
１４…貢献者情報ＤＢ
１５…ＮＰＯポイント格納部
１６…貢献者ポイント格納部
１７…ボランティア要求格納部
２６…メインプログラム
２７…ドネーション仲介部
２８…貢献先ＮＰＯ選択部
２９…貢献先ＮＰＯ決定部
３０…ポイント算出部
３１…ＮＰＯへのポイント発行部
３２…貢献者へのポイント発行部
３３…ポイント集計部
３４…貢献度集計部
３５…ポイント情報送信部
３６…ボランティア要求登録部
３７…貢献度表示部
３８…ポイント移転部
３９…レーティング部
４５…ＮＰＯニュース
４６…ポイント情報
４７…レーティング情報
４８…広告
【図１】
0004870258.tif 000002
【図２】
0004870258.tif 000003
【図３】
0004870258.tif 000004
【図４】
0004870258.tif 000005
【図５】
0004870258.tif 000006
【図６】
0004870258.tif 000007
【図７】
0004870258.tif 000008
【図８】
0004870258.tif 000009
【図９】
0004870258.tif 000010